(57)【特許請求の範囲】
【請求項１】
複数の識別情報を変動表示する変動表示ゲームを行う変動表示装置を備える遊技機において、
前記変動表示装置の上方に位置し、前記変動表示装置の左右方向に沿って延在するとともに前方へ向けて突設された鎧部と、遊技盤に取り付ける取付基板と、を備える取付基板体と、
前記変動表示装置の表示部の周縁に設けられ、装飾が施された装飾ユニットと、
を備え、
前記装飾ユニットは、
動作する装飾部材を含み、
透光性の部材により形成されたユニット本体と、
該ユニット本体の裏面側に配置された裏面側発光基板と、
前記ユニット本体の前面側に配置されたユニット構成部品と、
該ユニット構成部品の前面側に配置された前面側発光基板と、
前記ユニット構成部品の前面側で文字装飾の外形を構成するレンズ枠と、
前記前面側発光基板の前面に設けられ、前記レンズ枠内に収納されるレンズ部材と、
を備え、
前記前面側発光基板によって前記レンズ枠内に収容された前記レンズ部材を介して光を透過させることで、文字装飾が点灯し、
前記裏面側発光基板によって前記ユニット本体表面を介して光を透過させることで、文字装飾の周囲部分が点灯することを特徴とする遊技機。
【発明の詳細な説明】
【技術分野】
【０００１】
本発明は、パチンコ遊技機等の遊技機に関し、特に、変動表示装置を配設した遊技機に関する。
【背景技術】
【０００２】
従来の遊技機、例えばパチンコ遊技機には、遊技盤の遊技領域の略中央に開口を形成し、遊技盤の開口裏面側に、複数の識別情報を変動表示する変動表示ゲームを行う変動表示装置を配設し、遊技盤の前面側に、該変動表示装置の表示部が臨む表示用開口窓部を形成した前面構成部材を配設したものが知られている。
【０００３】
近年、変動表示装置が大型化する傾向にあり、これに伴ってその包囲枠としての前面構成部材も大型化してきている。その上、前面構成部材には、取付ベースに対して発光部材や装飾部材等の多くの部材が取り付けられるように成ってきており、前面構成部材はより大型化する傾向にある。
【０００４】
これに関連する技術として、例えば、特開２００４−５７６５５号公報（特許文献１）には、前面構成部材が、遊技盤の開口に嵌装される取付ベースと、略額縁状の表示窓枠と、該表示窓枠の両側に位置する装飾ユニットと、装飾レンズ部材と、該装飾レンズ部材のレンズ部材を照射する発光ユニットとで構成され、左右の装飾ユニットは、所要の立体的な像に形成された立体装飾部材と、電気的発光部材と、装飾取付ベースとを含むと共に、少なくとも前記表示窓枠の裏面側に前記装飾ベースを介して取り付けられ、前記発光ユニットは電気的発光部材を含むと共に、前記取付ベースの裏面側に着脱可能に取り付けられる遊技機が提案されている。この発明によれば、開発期間の短縮やコスト削減、リサイクルの推進が簡単に行えるというものである。
【先行技術文献】
【特許文献】
【０００５】
【特許文献１】特開２００４−５７６５５号公報
【発明の概要】
【発明が解決しようとする課題】
【０００６】
従来の遊技機において、文字を使用した装飾を施すことは一般的に行われていたが、必ずしも充分ではなく、特に文字装飾についての装飾効果も高くなかった。
【０００７】
そこで、本発明は、上記の事情に鑑みてなされたものであり、その目的は、装飾効果、特に、文字装飾の効果を高めることができる遊技機を提供することにある。
【課題を解決するための手段】
【０００８】
本発明は、上記目的を達成するために提案されたものであり、請求項１に記載のものは、複数の識別情報を変動表示する変動表示ゲームを行う変動表示装置を備える遊技機において、
前記変動表示装置の上方に位置し、前記変動表示装置の左右方向に沿って延在するとともに前方へ向けて突設された鎧部と、遊技盤に取り付ける取付基板と、を備える取付基板体と、
前記変動表示装置の表示部の周縁に設けられ、装飾が施された装飾ユニットと、
を備え、
前記装飾ユニットは、
動作する装飾部材を含み、
透光性の部材により形成されたユニット本体と、
該ユニット本体の裏面側に配置された裏面側発光基板と、
前記ユニット本体の前面側に配置されたユニット構成部品と、
該ユニット構成部品の前面側に配置された前面側発光基板と、
前記ユニット構成部品の前面側で文字装飾の外形を構成するレンズ枠と、
前記前面側発光基板の前面に設けられ、前記レンズ枠内に収納されるレンズ部材と、
を備え、
前記前面側発光基板によって前記レンズ枠内に収容された前記レンズ部材を介して光を透過させることで、文字装飾が点灯し、
前記裏面側発光基板によって前記ユニット本体表面を介して光を透過させることで、文字装飾の周囲部分が点灯することを特徴とする遊技機である。
【図面の簡単な説明】
【０００９】
【図１】パチンコ遊技機の遊技盤の正面図である。
【図２】パチンコ遊技機の遊技盤、前面構成部材及び裏面構成部材を示す斜視図である。
【図３】裏箱体の前面に取付基板体を取り付け、その内部に装飾ユニットを収納した状態を示す斜視図である。
【図４】取付基板体及び裏箱体、これらの間に収納する装飾ユニットを前方から見た状態を示す分解斜視図である。
【図５】取付基板体及び裏箱体、これらの間に収納する装飾ユニットを後方から見た状態を示す分解斜視図である。
【図６】裏箱体に装飾ユニットを配置した状態を示す斜視図である。
【図７】裏箱体の凹凸壁部及び装飾ユニットの凹凸形状を裏面側から見た状態を示す縦断面図である。
【図８】上装飾ユニットの動作部分を示す斜視図である。
【図９】右装飾ユニットの動作部分を示す斜視図である。
【図１０】ワープ装置を示す要部断面図である。
【図１１】左装飾ユニットを示す分解斜視図である。
【発明を実施するための形態】
【００１０】
以下、代表的な遊技機であるパチンコ遊技機を例に挙げて、本発明を実施するための最良の形態を図面に基づいて説明する。図１はパチンコ遊技機の遊技盤１の正面図である。
パチンコ遊技機の遊技盤１は、図１に示すように、合板やプラスチック等からなる矩形状の遊技盤本体２の表面に、ガイドレール５や遊技領域区画部材６等を止着することで略円形状の遊技領域７を区画形成している。そして、遊技盤１は、この遊技領域７内において、略中央からガイドレール５とは反対側（図中右側）に亘って前面構成部材（センターケース）８を配設し、該前面構成部材８の後方には、遊技領域７の略中央に位置するように複数の識別情報を変動表示する変動表示ゲームを行う変動表示装置（画像表示装置）９を備えている。また、遊技盤１は、変動表示装置９の下方にチューリップタイプの変動表示始動口１０を配設し、該始動口１０の下方に、変動表示装置９の作動結果によって遊技球を受け入れない状態と受け入れ易い状態とに変換可能な特別変動入賞装置（大入賞口）１１を配設している。さらに、遊技盤１は、特別変動入賞装置１１の側方には補助変動表示を行う補助変動表示装置１５を配設し、前記センターケース８の左側には補助変動表示の始動ゲート１６を配設している。そして、遊技盤１は、この他に、一般入賞口２１、遊技球の流下方向を変える風車２２や障害釘２３、発光により各種の装飾表示を行うランプ・ＬＥＤ（図示せず）、及び入賞せずに流下した遊技球を回収するアウト口２４を設けている。
【００１１】
次に、図２はパチンコ遊技機の遊技盤、前面構成部材及び裏面構成部材を示す斜視図であり、図３は裏箱体の前面に取付基板体を取り付け、その内部に装飾ユニットを収納した状態を示す斜視図である。また、図４は取付基板体及び裏箱体、これらの間に収納する装飾ユニットを前方から見た状態を示す分解斜視図であり、図５は後方から見た状態を示す分解斜視図である。さらに、図６は裏箱体に装飾ユニットを配置した状態を示す斜視図である。
【００１２】
図２に示すように、遊技盤１の遊技領域７の略中央には前記前面構成部材８の外形形状に対応した開口３１を形成してあり、前記遊技盤１の開口裏面側に前記変動表示装置９を後面に備えた裏面構成部材３２を配設し、前記遊技盤１の開口前面側に該変動表示装置９の表示部２９が臨む表示用開口窓部３３を形成した前面構成部材８を配設している。
【００１３】
裏面構成部材３２は、後面中央部に液晶表示装置等の変動表示装置９を備え、その周壁部３６を前方に延出させた箱体状の部材であり、取付片３７を遊技盤１の裏面に当接させて、遊技盤１の裏面側から止着固定する。
【００１４】
ここで、変動表示装置９は、例えば、複数の変動表示領域（左側、中央、右側の３つの可変表示領域等）を設定して各表示領域の各々で独立して画像表示がなされる表示装置であって、本実施形態では、例えば、任意の画像を表示可能なＬＣＤ（液晶表示器）等で表示画面部分が構成され、この表示画面上の複数の変動表示領域には複数の識別情報（図柄）を変動表示する変動表示ゲーム等、遊技の進行に基づく画像が表示される。したがって、本実施形態は、前記始動入賞口１０への入賞等の始動条件の成立に基づいて変動表示装置６にて識別情報を変動表示する変動表示ゲームを実行し、該変動表示ゲームが特定の結果態様を成立することに関連して所定の遊技価値が付与されるように成っている。
【００１５】
前面構成部材８は、図２から図５に示すように、遊技盤１に形成された開口３１に該遊技盤１の前方から嵌装される部材であって、該前面構成部材８の前面部分を構成する取付基板体４０と、該取付基板体４０の裏面側に設けられる裏箱体４１と、該裏箱体４１の前面に前記取付基板体４０を取り付けて、その内部に収納される装飾ユニット４３とを備えている。
【００１６】
裏箱体４１は、前記遊技盤１の開口３１に嵌装され、前方を開放した箱状ユニット（裏箱ユニット）であって、後方の壁に長方形状の表示用開口窓部３３が形成されて略額縁状を呈しており、前記裏面構成部材３２に内装するように装着されることにより、前記表示用開口窓部３３から前記変動表示装置９の表示部２９を臨ませるように成っている。この裏箱体４１の周囲の適宜位置には、この前面に前記取付基板体４０を取り付けるためのネジ等の止着部材を止着する止着部４４が配設されている。
【００１７】
取付基板体４０は、前記表示用開口窓部３３よりも大きい開口部４６が形成された異形枠体状のユニット（取付基板ユニット）であって、その周囲に沿って前記遊技盤１に取り付ける取付基板４７を有しており、その適宜位置には止着部材を止着する止着部４８が形成されている。図３に示すように、この取付基板４７の前面側上部には、左右全幅に亘って庇状の鎧部５１を変動表示装置９の左右方向に沿って延在させるとともに変動表示装置９の前方へ向けて突設し、該鎧部５１の左右傾斜端部から下方に縦長の側辺部５２，５２を突設し、左右の側辺部５２，５２の下端同士を接続する状態で底部５３を突設し、この取付基板体４０を前記裏箱体４１の前面に取り付けることにより、前記鎧部５１、左右側辺部５２，５２、及び底部５３に囲まれた凹室５４を形成している。この凹室５４の奥の面に前記表示用開口窓部３３が配設されており、鎧部５１は、上面が中央の円弧状の振り分け凸部５５から左右方向に向けて緩やかに下り傾斜している。そして、前記取付基板４７の後部には取付支持部５６が前記鎧部５１と連続するように一体成形されており、該取付支持部５６は前記取付基板４７から遊技盤１内へ臨むように後方へ向けて突設されている。前記凹室５４の底部には、遊技球を転動可能な第１ステージ６１が設けられるとともに、この第１ステージ６１の前面側下方には遊技球を転動可能な第２ステージ６２が設けられ、第１ステージ６１と第２ステージ６２とは起立壁６３により隔てられている。
【００１８】
第１ステージ６１は、前記裏箱体４１の底部に形成され、遊技球を転動可能な案内棚を構成しており、左右方向両側に曲率の小さな円弧状の凹面６５，６５を、中央部に曲率の大きな円弧状の凸面６６を形成するような波形状の転動面を有している。円弧状の凹面６５，６５の谷部には前面側へ向けて下り傾斜した球案内部６７，６７が形成されており、円弧状の凸面６６の中央部には第１の導入口６８が開口され、この導入口６８は誘導路（図示せず）に連通している。
【００１９】
また、第２ステージ６２は、前記取付基板体４０の底部に形成され、遊技球を転動可能な案内棚を構成しており、第１ステージ６１と同様に、左右方向両側に曲率の小さな円弧状の凹面７５，７５を、中央部に曲率の大きな円弧状の凸面７６を形成するような波形状の転動面を有している。円弧状の凹面７５，７５の谷部には前面側へ向けて下り傾斜した球案内部７７，７７が形成されており、円弧状の凸面７６の中央部には第２の導入口７８が開口され、この導入口７８は前記誘導路に連通している。この誘導路は、前面側へ向けて下り傾斜しており、その傾斜下端部は前記取付基板体４０の下部中央に開口した導出口７９に連通することになり、該導出口７９は前記始動入賞口１０の直上に配置される。
なお、第１ステージ６１上に遊技球をワープさせるワープ装置については、説明の都合上、後で詳述する。
【００２０】
また、前記取付基板体４０には、前記ガイドレール５によって区画され、前記発射装置により発射された遊技球を導入部から遊技領域に案内する発射球案内通路１３（図１参照）が形成されており、その反対側に位置する前記取付基板４７を前記鎧部５１から右側の前記遊技領域区画部材６側へと延出させて、外形が前記遊技領域区画部材６に沿って円弧状に形成される取付基板延出部８１を設けている。この取付基板延出部８１は、前記裏箱体４１との間に収納される前記装飾ユニット４３の前面を覆っており、例えば、無色透明の合成樹脂材により形成され、後方の装飾ユニット４３が視認可能なカバー部材を構成している。なお、この取付基板延出部８１は無色透明の部材に限るものではなく、後方の装飾ユニット４３が視認可能であれば、有色透明または半透明等であってもよい。また、取付基板延出部８１は、その前方を遊技球が流下可能に形成され、遊技球が通過し得る幅を有しており、前述したように、外形が前記遊技領域区画部材６に沿った円弧状を呈しているので、前記鎧部５１の振り分け凸部５５によって右方向に振り分けられた遊技球が該取付基板延出部８１の前面に沿って円滑に流下するように成っている。即ち、図１に示すように、前記取付基板体４０を遊技盤１に取り付けると、取付基板延出部８１の円弧状の外周部は前記遊技領域区画部材６の上部から右側部分に亘って当接されることになり、この遊技領域区画部材６と該取付基板延出部８１の内周部を区画する前記右側辺部５２との間を遊技球が流下することになる。したがって、取付基板延出部８１の後方に装飾ユニット４３を配置しても、該取付基板延出部８１を後方の装飾ユニット４３が視認可能な部材により形成し、且つ、該取付基板延出部８１の前方を遊技球が流下可能であるので、装飾領域を実質的に拡大できるとともに、拡大した装飾領域の前を遊技球が通過でき、装飾効果を高めつつ遊技の興趣を高めることができる。
【００２１】
さらに、図１において、前記遊技領域区画部材６の前記発射球案内通路１３の先端の導入部１７と対向する側部には、前記取付基板延出部側へ突出した当て板部材８５を配設して、前記遊技領域区画部材６に沿って進行した遊技球が衝突して流下方向を変換するように、前記遊技領域区画部材６の一部を屈曲させた段部８６が形成してあり、この段部８６の衝突面にはゴム等の緩衝部材（図示せず）を装着している。そして、前記取付基板延出部８１の遊技球の通過の妨げとならない位置に、本実施形態では取付基板延出部８１の上部に、前方に突出する装飾部８７を備えており、この装飾部８７は、前記遊技領域区画部材６の段部８６から前記導入部１７の方向へ向けて円弧状に該遊技領域区画部材６に沿って配設されている。そして、該取付基板延出部８１の下部には、装飾の施された複数の流下方向変換部材９１が互い違い（千鳥状）に配設されており、さらにその下方には風車９２が配設されている。このように、本実施形態においては、前記取付基板延出部８１を鎧部５１から右側の遊技領域区画部材６側へと延出させて拡大しており、この拡大した取付基板延出部８１の遊技球の通過の妨げとならない位置に装飾部８７を備えているので、装飾領域をさらに拡大することができ、さらに、該取付基板延出部８の下部に装飾の施された複数の流下方向変換部材９１や風車９２を配設しているので、装飾効果を高めつつ遊技の興趣を高めることができる。
【００２２】
次に、裏箱体と装飾ユニットについて説明する。
図６は裏箱体に装飾ユニットを配置した状態を示す斜視図であり、図７は裏箱体の凹凸壁部及び装飾ユニットの凹凸形状を裏面側から見た状態を示す縦断面図である。また、図８は上装飾ユニットの駆動部分を示す斜視図であり、図９は右装飾ユニットの駆動部分を示す斜視図である。
【００２３】
前述したように、前記裏箱体４１の前面に前記取付基板体４０を取り付けて、これらの内部空間に装飾ユニット４３を収納している。具体的に説明すると、裏箱体４１は、表示用開口窓部３３の周縁（言い換えると、表示用開口窓部３３から臨む変動表示装置９の表示部２９の周縁）と当該裏箱体４１の周壁（後述の凹凸壁部１０１）との間に装飾ユニット配置空間９４を形成し、該装飾ユニット配置空間９４内に装飾ユニット４３を配置している。装飾ユニット４３は、図４及び図５に示すように、本実施例では、上装飾ユニット９５、左装飾ユニット９６及び右装飾ユニット９７から構成され、それぞれ歯車やピストン等の機械の内部構造を暗示させるような装飾が施されている。図６に示すように、上装飾ユニット９５、左装飾ユニット９６及び右装飾ユニット９７は、それぞれ前記裏箱体４１内の上部分、左側部分及び右側部分に、該裏箱体４１の周壁としての凹凸壁部１０１に当接させた状態で配置する。即ち、図７に示すように、この凹凸壁部１０１において、上部壁部１０２は前記上装飾ユニット９５の上部分の外形に対応する凹凸形状を有し、左側壁部１０３（図７では右側部分）は前記左装飾ユニット９６の左側部分の外形に対応する凹凸形状を有し、右側壁部１０４（図７では左側部分）は前記右装飾ユニット９７の右側部分の外形に対応する凹凸形状を有している。また、左右に隣接する上装飾ユニット９５と左装飾ユニット９６との隣接部分１０５，１０６には、凹凸形状を付与している。さらに、上下に隣接する上装飾ユニット９５と右装飾ユニット９７との隣接部分１１１，１１２にも凹凸形状を付与している。そして、各凹凸壁部１０２，１０３，１０４の凹凸形状に適合するように各装飾ユニット９５，９６，９７の外形位置を調整することにより、各装飾ユニット９５，９６，９７を嵌合配置している。
【００２４】
このように、裏箱体４１（詳しくは裏箱体４１の周壁）に凹凸壁部１０２，１０３，１０４を形成し、該凹凸壁部１０２，１０３，１０４に凹凸外形を有する装飾ユニット９５，９６，９７を嵌合配置させるとともに、隣接する装飾ユニット同士をも凹凸嵌合させるので、前記前面構成部材８の全体剛性を確実に向上させることができる。
【００２５】
なお、図８に示すように、上装飾ユニット９５の装飾部材は、例えば、３連のピストン１２１と装飾歯車１２２と、装飾のための発光体（ＬＥＤ）およびレンズ（何れも図示せず）とから成ってユニット化されており、これらはモータ１２３により駆動される主ギヤ機構１２４を介して動作するように構成されている。また、図６に示すように、左装飾ユニット９６の装飾部材は、例えば、漫画のキャラクター名を表す文字装飾１２５が施されている。さらに、図９に示すように、右装飾ユニット９７の装飾部材は、例えば、トランス１３０、装飾歯車群１３１及びクランク機構１３２、装飾のための発光体（ＬＥＤ）およびレンズ（何れも図示せず）から成ってユニット化されており、複数の歯車１３１及びクランク機構１３２は前記主ギヤ機構１２４に噛合する従ギヤ機構１３３を介して動作するように構成されている。
【００２６】
次に、ワープ装置について説明する。
図１０はワープ装置を示す要部断面図であり、図１１は左装飾ユニットを示す分解斜視図である。
前述したように、前面構成部材８の内部には凹室５４が形成されており、その底部には遊技球を転動させる前記第１ステージ６１及び第２ステージ６２が配設されている。この前面構成部材８には、前記遊技盤１の遊技領域７を流下する遊技球を流入口１４１から受け入れて流下路１４２，１４３を流下させ前記凹室５４内の所要部位に設けられた流出口１４４から該凹室５４の底部に形成した前記第１ステージ６１に案内するワープ装置１４０が備えられている。図１０に示すように、このワープ装置１４０の前記流入口１４１と、該流入口１４１から後方に遊技球１５１を流下させる後方流下路１４２とは、前記取付基板体４０に形成してあり、前記後方流下路１４２と連通し遊技球１５１を下方へ流下させる下方流下路１４３と、該下方流下路１４３の下方端部に設けられた前記流出口１４４とは、前記左装飾ユニット９６に形成してある。
【００２７】
具体的には、図１及び図３に示すように、前記流入口１４１は取付基板体４０の左側側辺部５２における前記始動ゲート１６の右斜め下方に位置しており、前面構成部材８の左側の遊技領域７を流下する遊技球を受け入れる左斜め上方へ臨んで開口している。そして、該流入口１４１の後方に延出された後方流下路１４２は、その底部が後方へ向けて下方に傾斜して形成され、流入口１４１に入った遊技球１５１を後方へ転動させるように成っている。さらに、図１０及び図１１に示すように、この後方流下路１４２に連通する下方流下路１４３は、左装飾ユニット９６のユニット本体１５５の下部に位置する下方延出部１５６の前面中間部に連通部１５７を開口しており、その下端部まで垂下して該下方延出部１５６の右側面下端部に前記流出口１４４を開口しており、図３に示すように、該流出口１４４は第１ステージ６１の左端部に臨むように配されている。このユニット本体１５５の下方延出部１５６に形成された下方流下路１４３の後面は裏蓋１５８によって覆われている。このように、前記取付基板体４０に、流入口１４１と、該流入口１４１から後方に遊技球を流下させる後方流下路１４２とを形成するとともに、前記左装飾ユニット９６に、前記後方流下路１４２と連通し遊技球を下方へ流下させる下方流下路１４３と、該下方流下路１４３の下方端部に設けられた流出口１４４とを形成したので、簡単な構造で、前面構成部材８の剛性を保ったままワープ装置１４０を構成することができる。
【００２８】
なお、各装飾ユニット９５，９６，９７は複数の部品を組み合わせてユニット化されており、例えば、左装飾ユニット９６は、ユニット本体１５５が有色透明の合成樹脂材等の透光性の部材により形成され、その裏面側に裏面側発光基板１６０を備えるとともに、その前面側に前記ユニット本体１５５の前面部に形成された凹部１６１に係合する異形箱体状の装飾部品１６２、ユニット本体１５５の前面側に装着されて装飾部品１６２を覆う蓋材１６３、該蓋材１６３に装着される前面側発光基板１６４、該発光基板１６４の前面に設けられ、レンズ枠１６７内（詳しくは、蓋材１６３の前面側で文字装飾１２５の外形を構成するレンズ枠１６７の内側）に収納されるレンズ部材（後側レンズ部材１６５及び前側レンズ部材１６６）を順次備えて、前記文字装飾１２５を構成しており、前面側発光基板１６４によって後側レンズ部材１６５及び前側レンズ部材１６６を介して文字装飾１２５が点灯し、前記裏面側発光基板１６１によって前記ユニット本体１５５における文字装飾１２５の周囲部分が点灯するように成っている。即ち、図４、図１１等に示すように、レンズ枠１６７は蓋材１６３の前面側で文字装飾の外形を構成し、前面側発光基板１６４からの光がレンズ部材１６５，１６６を透過して文字装飾を点灯すると共に、裏面側発光基板１６０からの光が蓋材１６３を除く当該ユニット本体１５５表面を透過して文字装飾の周囲部分を点灯して装飾効果を高めている。
【００２９】
次に、図１、図３及び図１０を用いて、以上の如く構成された本実施形態のパチンコ遊技機の作用について説明する。
図１及び図３に示すように、前記発射装置により発射された遊技球は発射球案内通路１３を経て、前記導入部１７から遊技領域７の上部に飛入し、前面構成部材（センターケース）８の鎧部５１の上面に流下すると、振り分け凸部５５によって左側あるいは右側に振り分けられることとなり、前面構成部材８の側辺部５２，５２の外側に位置する左側の遊技領域７または取付基板延出部８１の前面を流下する。そして、左側の遊技領域７を流下する遊技球は、前面構成部材８の左側の側辺部５２に開口されたワープ流路１４０の流入口１４１に流入し得ることになる。
【００３０】
図３及び１０に示すように、ワープ流路１４０の流入口１４１に遊技球１５１が流入すると、その後方に延出された後方流下路１４２及び下方流下路１４３を経て、該下方流下路１４３の下方端部に開口された流出口１４４から第１ステージ６１の転動面の左端上に流下される。この第１ステージ６１の転動面は、図３に示すように、左右方向の略中央部分に円弧状の凸面６６を、該凸面６６の左右両側方に円弧状の凹面６５，６５をそれぞれ備えて略波面状を呈しているので、転動して次第に減勢されると前記凹面６５，６５に形成された球案内溝（落下許容部）６７，６７からその前面側下方に配置された第２ステージ６２上に流下されることになる。なお、第１ステージ６１の転動面の前記凹面６５，６５以外の部分の前面側には起立壁（落下規制部）６３が形成されているので、遊技球の勢いが強すぎない限り、起立壁（落下規制部）６３を乗り越えて第２ステージ６２上に落下することはない。
【００３１】
一方、第１ステージ６１の転動面を転動する遊技球が円弧状の凸面６６を通過する際に、その中央部に開口された第１の導入口６８内に入ることがあり、該導入口６８に入った遊技球は誘導路を通過して前記始動入賞口１０の直上に位置する導出口７９から流出し、始動入賞口１０へ向けて流下することになる。
【００３２】
また、第１ステージ６１の前記落下許容部６７，６７から第２ステージ６２へと落下した遊技球は、第１ステージ６１を経ることによって減勢されているが、第２ステージ６２の転動面が、図３に示すように、左右方向の略中央部分に円弧状の凸面７６を、該凸面７６の左右両側方に円弧状の凹面７５，７５をそれぞれ備えて略波面状を呈しているので、さらに転動して減勢されることになる。そして、第２ステージ６２の転動面を転動する遊技球は、前記凹面７５，７５に形成された球案内溝（落下許容部）７７，７７からその前面側下方へと流下し、前面構成部材８の下方へ落下する。
また、前面構成部材８の側方を流下した遊技球が前面構成部材８の下方の障害釘２３に弾かれて第２ステージ６２に到達すると、この遊技球は、円弧状の凸面７６を通過する際に、その中央部に開口された第２の導入口７８内に入ることがある。該導入口７８に入った遊技球は誘導路を通過して前記始動入賞口１０の直上に位置する導出口７９から流出し、始動入賞口１０へ向けて流下することになる。
【００３３】
そして、本実施形態では、例えば、前記右装飾ユニット９７の装飾歯車群１３１及びクランク機構１３２は常時作動させ、前記上装飾ユニット９５の３連のピストン１２１及び装飾歯車１２２は大当たり予告時又はリーチ予告時に作動させるように成っており、これにより装飾効果をより高めることができる。したがって、遊技者は左装飾ユニット９６の文字装飾１２５の点灯や上装飾ユニット９５及び右装飾ユニット９７の動作だけでなく、遊技球の案内過程をも併せて楽しむことができ、又、前記導出口７９から流下した遊技球を下方の入賞領域へと案内して、始動入賞口１０への入賞の可能性を期待させることにより、遊技の興趣を高めることができる。
【００３４】
以上のように構成された本実施形態のパチンコ遊技機によれば、裏箱体４１の前面に取付基板体４０を取り付けて、その内部に上装飾ユニット９５、左装飾ユニット９６及び右装飾ユニット９７を収納して遊技盤１の開口３１に嵌装して組み付けるようにしたので、これらのユニットによって構成される前面構成部材８の剛性を高めることができ、前面構成部材自体の破損や遊技盤１の歪みを防止することができる。また、裏箱体４１に各装飾ユニット９５，９６，９７を配置するので、それぞれに裏面カバー部材を取り付ける必要がなく、遊技盤１への取り付け作業性が良いものである。
【００３５】
上記した実施形態は、代表的な遊技機であるパチンコ遊技機を例にして説明したが、本発明はこれに限らず、変動表示装置を遊技盤の開口裏面側に配設し、該変動表示装置の表示部が臨む表示用開口窓部を形成した前面構成部材を遊技盤の前面側に配設した遊技機であれば、例えば、内部に封入した遊技球を循環させる封入球式パチンコ機、アレンジボール式遊技機、雀球式遊技機等の遊技機であってもよい。
【００３６】
上記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００３７】
１  遊技盤
７  遊技領域
８  前面構成部材（センターケース）
９  変動表示装置
２９  表示部
３１  開口
３２  裏面構成部材
３３  表示用開口窓部
３６  周壁部
４０  取付基板体
４１  裏箱体
４３  装飾ユニット
４６  開口部
４７  取付基板
５１  鎧部
５２  側辺部
５３  底部
５４  凹室
６１  第１ステージ
６２  第２ステージ
８７  装飾部
９４  装飾ユニット配置空間
９５  上装飾ユニット
９６  左装飾ユニット
９７  右装飾ユニット
１０１  凹凸壁部（周壁）
１０２  上部壁部
１０３  左側壁部
１０４  右側壁部
１０５，１０６  隣接部分
１１１，１１２  隣接部分
１４１  流入口
１４２  後方流下路
１４３  下方流下路
１４４  流出口
１５１  遊技球
【図１】
0005604651.tif 000002
【図２】
0005604651.tif 000003
【図３】
0005604651.tif 000004
【図４】
0005604651.tif 000005
【図５】
0005604651.tif 000006
【図６】
0005604651.tif 000007
【図７】
0005604651.tif 000008
【図８】
0005604651.tif 000009
【図９】
0005604651.tif 000010
【図１０】
0005604651.tif 000011
【図１１】
0005604651.tif 000012